(57)【要約】【課題】素足で履くフットカバーにおいて、クッション材による衝撃吸収等の効果を十分に発現することができる。【解決手段】このフットカバー１００は、爪先を覆う爪先部１０２、足裏を覆う足底部１０４、側辺部１０６および踵係止部１０８で形成され、足底部１０４は、その一部分の位置であって足指（第１足指〜第５足指）の付け根の位置および土踏まずの位置に対応して設けられた３次元立体形状の爪先側弾性部材１０４Ｂおよび踵側弾性部材１０４Ｃと、それらの爪先側弾性部材１０４Ｂおよび踵側弾性部材１０４Ｃを被覆してそれらの位置を固定する足裏当接側生地１０４Ａとが設けられている。【選択図】図１
2014055384.tif 000002
【特許請求の範囲】
【請求項１】
足裏を覆う足底部と爪先とを覆う爪先部とを少なくとも備え、
前記足底部には、
前記足底部の一部分の位置であって足指の付け根の位置および土踏まずの位置の少なくともいずれかの位置に対応して設けられた３次元立体形状の弾性部材と、
前記弾性部材を被覆してその位置を固定する生地とが設けられていることを特徴とするフットカバー。
【発明の詳細な説明】
【技術分野】
【０００１】
本発明は、着用すると、スニーカー（カジュアルな運動用の靴）やパンプス（履き口である甲部分が大きく開いている主として婦人用の靴）等の靴の内側に隠れて見えなくなるフットカバーまたは一般的な靴下形状のフットカバーに関し、特に、足裏の部分的な位置に衝撃吸収用のクッション等が配置されたフットカバー（靴下を含む）に関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス、靴下等と記載される場合もある。
このような足装着具において、足底にクッション材（痛み緩和体）を設けた靴下類がある。このような靴下類が、以下の先行技術文献に開示されている。
【先行技術文献】
【特許文献】
【０００４】
【特許文献１】特開平３−２７９４０１号公報
【特許文献２】特開平３−２７９４０２号公報
【特許文献３】特開２００５−２７３０４５号公報
【特許文献４】特開２００７−１３５９８６号公報
【発明の概要】
【発明が解決しようとする課題】
【０００５】
しかしながら、これらの特許文献１〜４に開示された靴下においては、平板状のクッション材を、足裏の全面または足裏の一部分に、衝撃吸収材または痛み緩和材として採用したものに過ぎない。このようにクッション材が平板状の場合、特に足裏の全面にこのようなクッション材を設けたものに過ぎない場合には、クッション材の高低の変化が乏しく、衝撃吸収等の効果を十分に発現することができない。
【０００６】
本発明は、従来技術の上述の問題点に鑑みて開発されたものであり、その目的とするところは、クッション材による衝撃吸収等の効果を十分に発現することができるフットカバーを提供することである。
【課題を解決するための手段】
【０００７】
上記目的を達成するため、本発明に係るフットカバーは以下の技術的手段を講じている。
すなわち、本発明に係るフットカバーは、足裏を覆う足底部と爪先とを覆う爪先部とを少なくとも備え、前記足底部には、前記足底部の一部分の位置であって足指の付け根の位置および土踏まずの位置の少なくともいずれかの位置に対応して設けられた３次元立体形状の弾性部材と、前記弾性部材を被覆してその位置を固定する生地とが設けられていることを特徴とする。
【発明の効果】
【０００８】
本発明のフットカバーによれば、クッション材による衝撃吸収等の効果を十分に発現することができるフットカバーを提供することができる。
【図面の簡単な説明】
【０００９】
【図１】本発明の実施の形態に係るフットカバーの全体斜視図である。
【図２】図１のフットカバーの足底部の上面図（足裏当接側）である。
【図３】図１のフットカバーの足底部の裏面図（床面当接側）である。
【図４】図１のフットカバーの着用時における側方視の断面図である。
【発明を実施するための形態】
【００１０】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその縫製がどのようなものであっても構わない。また、フットカバーは、通常の靴下形状であっても構わない。そのため、以下に示すフットカバーの構造自体は単なる例示でしかない。なお、フットカバーを形成する生地は伸縮性生地である。
【００１１】
また、以下に示すフットカバーは左右共用ではなく、右足用である。左足用は、右足用とは左右対称の形状を備える。なお、フットカバーは左右共用とすることが可能な場合には（クッション材の形状および位置が左右同じ）、左右共用にすると、左右を履き間違いすることがない点で好ましい。
図１に本発明の実施の形態に係るフットカバー１００を示す。図１は、フットカバー１００の全体斜視図であって、この図１では着用者の足Ｆにフットカバー１００を着用している状態を想定している。すなわち、本発明の実施の形態に係るフットカバー１００は、パンティストッキングまたは靴下等の伸縮性生地で形成されているために、このように想定して図示しない場合には縮んだ状態となり、形状を理解することが困難なため、上述のように想定している。
【００１２】
フットカバー１００は、着用者の足Ｆの爪先と足裏の一部分とを被覆する（足裏を覆う足底部と爪先とを覆う爪先部とを少なくとも備える）とともに足甲および足首を露出するフットカバーである。このフットカバー１００は、着用時にパンプスから露出することのないよう履き口である開口部が大きくカットされた薄手の伸縮性生地（パンティストッキング等の生地）で形成されている。なお、本発明に係るフットカバーは、後述する足底部の一部に３次元クッション材を備えたものであればよく、たとえば、踵を含む足底全体を被覆する足底部を備えた、通常の靴下形状のものであっても構わない。
【００１３】
フットカバー１００は、爪先部１０２、足底部１０４、側辺部１０６および踵係止部１０８で形成されている。そして、足底部１０４に対して上下反対側に足を出し入れするための開口部が設けられている。この足底部１０４は、足裏の全面を覆う大きさを備えず、足裏の略１／２〜３／４程度を覆う大きさを備える。そして、この足底部１０４の踵側端部近傍において、側辺部１０６は踵係止部１０８に連接されている。なお、爪先部１０２、側辺部１０６および踵係止部１０８は、一体的に編成され、足底部１０４に爪先部１０２および側辺部１０６が縫合されている。
【００１４】
踵係止部１０８は、開口部を形成するとともに、着用時に踵に引っかけられてこのフットカバー１００が着用者の足Ｆから脱げないようにしている。
フットカバー１００において、爪先部１０２、側辺部１０６および踵係止部１０８が同じ伸縮性生地で形成されており、足底部１０４はこれらとは異なる伸縮性生地で形成されている。
【００１５】
なお、フットカバー１００において、足底部１０４と、爪先部１０２、側辺部１０６および踵係止部１０８とは同じ生地とは限らず、異なる生地であってもよく、爪先部１０２、側辺部１０６および踵係止部１０８が一体的に編成されておらず、異なる生地で構成されていても構わない。さらに、このフットカバー１００において、爪先部１０２、側辺部１０６および踵係止部１０８は同じレース状またはメッシュ状の伸縮性生地であって、足底部１０４はレース状でもなくメッシュ状でもない伸縮性生地であっても、伸縮性生地でなくてもよい。
【００１６】
このフットカバー１００の特徴について、図２〜図４を参照して、以下に詳しく説明する。図２は、フットカバー１００の足底部１０４の上面図（足裏当接側）であって、図３は、フットカバー１００の足底部１０４の裏面図（床面当接側）であって、図４は、フッ
トカバー１００の着用時における側方視の断面図である。
このフットカバー１００においては、足底部１０４の一部分の位置であって足指（第１足指〜第５足指）の付け根の位置に対応して設けられた３次元立体形状の爪先側弾性部材１０４Ｂおよび土踏まずの位置に対応して設けられた３次元立体形状の踵側弾性部材１０４Ｃと、それらの爪先側弾性部材１０４Ｂおよび踵側弾性部材１０４Ｃを被覆してそれらの位置を固定する足裏当接側生地１０４Ａとが設けられている。これらの爪先側弾性部材１０４Ｂおよび踵側弾性部材１０４Ｃは、着用者が痛みを感じる位置に設けられている。
【００１７】
より詳しくは、足裏当接側生地１０４Ａおよび床面当接側生地１０４Ｄにより、これらの爪先側弾性部材１０４Ｂおよび踵側弾性部材１０４Ｃが挟まれるように縫製されて、これらの足裏当接側生地１０４Ａおよび床面当接側生地１０４Ｄにより、これらの爪先側弾性部材１０４Ｂおよび踵側弾性部材１０４Ｃが被覆されて位置が固定されている。
なお、爪先側弾性部材１０４Ｂおよび踵側弾性部材１０４Ｃの少なくともいずれかを備えればよく、これら以外の弾性部材を、たとえば着用者が痛みを感じる位置に備えるものであっても構わない。また、弾性部材の固定方法は、上述したような２つの生地により挟み込まれて縫製されるものに限定されるものではなく、たとえば接着層を設けて固定しても構わない。
【００１８】
図２（Ａ）に示す足底部１０４の上面図（足裏当接側）のＢ−Ｂ線における断面図を図２（Ｂ）に、Ｃ−Ｃ線における断面図を図２（Ｃ）に、Ｄ−Ｄ線における断面図を図２（Ｄ）に、それぞれ示す。これらの図に示すように、爪先側弾性部材１０４Ｂは、爪先側が踵側よりも高く、かつ、身体中心側が身体外側よりも高いシリコン樹脂、エラストマー、スポンジ等のクッション材であって、踵側弾性部材１０４Ｃは、爪先側が踵側よりも高く、かつ、身体中心側が身体外側よりも高いシリコン樹脂、エラストマー、スポンジ等のクッション材である。
【００１９】
なお、爪先側弾性部材１０４Ｂおよび踵側弾性部材１０４Ｃは、図２（Ｂ）〜図２（Ｃ）に点線で示すように、前後方向の高さに差がなく、かつ、左右方向の高さに差がないものであっても構わない。
いずれにしても、爪先側弾性部材１０４Ｂおよび踵側弾性部材１０４Ｃは、３次元形状を備えている。なお、弾性部材の形状は３次元形状であればよく、上述した形状に限定されるものではない。
【００２０】
また、足裏当接側生地１０４Ａと床面当接側生地１０４Ｄとにより縫合されて位置が決められる、爪先側弾性部材１０４Ｂおよび踵側弾性部材１０４Ｃは一つの部材で形成されていることが好ましい。このように一つの部材で形成された弾性部材を生地で表裏から挟み込んで縫合して、足底部１０４が形成しているので、爪先側弾性部材１０４Ｂと踵側弾性部材１０４Ｃとの位置関係がずれない点で好ましい。
【００２１】
なお、足底部１０４の床面当接側生地１０４Ｄには、シリコン樹脂等の薄いシートで形成された足底部滑り止め１０４Ｅが設けられている。足底部滑り止め１０４Ｅにより、パンプスの内底との密着性を高めてパンプス内におけるフットカバー１００の位置がずれることを防止できる。なお、このような足底部滑り止めを、足Ｆが接する側（内側）にも設けることも、足Ｆが接する側（内側）のみに設けることも考えられる。
【００２２】
さらに、図示しないが、踵係止部１０８において足Ｆ側（内側）には、シリコン樹脂等の薄いシートで形成された踵部滑り止めを設けることも好ましい。これにより、足Ｆの踵との密着性を高めてフットカバー１００が足Ｆからずれることを防止できる。
以上のような構造を備えたフットカバー１００を着用者が足Ｆに着用したときの効果について説明する。
【００２３】
図４に示すように、爪先側弾性部材１０４Ｂおよび踵側弾性部材１０４Ｃが、着用者の体重で側面視で変形して足裏に当接し、その一部は足裏の形状にしたがって変形し、クッション材による衝撃吸収等の効果を十分に発現することができる。
特に、弾性部材は、足指（第１足指〜第５足指）の付け根部分に設けられた爪先側弾性部材１０４Ｂおよび土踏まず部分に設けられた踵側弾性部材１０４Ｃの２つの３次元立体形状を備えた弾性部材であって、足裏の全体に設けられているものではなく、足指の付け
根部分および土踏まず部分を限定してクッション効果を与えることができる。すなわち、足裏の全体に平板状のクッション材を設けた場合に比較して、十分な効果を発現することができる。また、足裏の一部に平板状のクッション材が設けた場合に比較して、３次元立体形状の弾性部材であるので、十分な効果を発現することができる。
【００２４】
このように、爪先側弾性部材１０４Ｂおよび踵側弾性部材１０４Ｃは、他の部分に弾性部材が存在しないで、パンプス等の靴を履いたときに、着用者が痛みを感じやすい箇所に位置しており、かつ、これらの弾性部材は３次元立体的構造を有しているので、履き心地等をより向上させることができる。
また、フットカバー１００を着用してパンプス等を履いて歩く等の動作時には、足Ｆがパンプス等の中ですべることを、爪先側弾性部材１０４Ｂにより足底部滑り止め１０４Ｅとともに抑制できるので、靴擦れをより抑制することができる。
【００２５】
以上のようにして、本実施の形態に係るフットカバーによると、３次元形状のクッション材を、クッション効果が必要な位置のみに配置して、その他の部分には弾性部材を配置しないで生地のみの状態または生地もない状態とした。その結果、クッション材による衝撃吸収等の効果を十分に発現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。たとえば、足裏当接側生地１０４Ａを吸水性生地により形成すると、汗蒸れを防止することができる点で好ましい。
【産業上の利用可能性】
【００２６】
本発明は、素足で履くフットカバーに好適であり、クッション材による衝撃吸収等の効果を十分に発現することができる点で特に好ましい。
【符号の説明】
【００２７】
１００  フットカバー
１０２  爪先部
１０４  足底部
１０６  側辺部
１０８  踵係止部
Ｆ  足
【図１】
2014055384.tif 000003
【図２】
2014055384.tif 000004
【図４】
2014055384.tif 000005
【図３】
2014055384.tif 000006